(57)【要約】【課題】  本発明は、対象魚である太刀魚を除いた他の夜行性魚種の集魚を最小化するとともに、太刀魚が針を飲み込んだとき、鋭い歯からハリスを保護するようにする太刀魚釣り用針を提供する。【解決手段】  太刀魚釣りのための釣り道糸または前記釣り道糸に連結された釣りスナップに連結される太刀魚釣り用針であって、前記釣り道糸または前記釣りスナップに結ばれる釣りハリスと、前記釣りハリスに結ばれる釣針と、前記釣りハリスが長手方向に通過する中空を持ち、前記釣針の針頭から前記釣りハリスの長手方向の一地点まで延設されるゴムホースとを含み、前記ゴムホースは、全長中の少なくとも半分以上をなし、無発光または無蛍光のゴム材からなる無発光部；及び前記無発光部から伸びて全長中の残部をなし、発光顔料または蛍光顔料が添加されたゴム材からなる発光部；を含む。【選択図】  図2
2015092840.tif 000002
【特許請求の範囲】
【請求項１】
太刀魚釣りのための釣り道糸または前記釣り道糸に連結された釣りスナップに連結される太刀魚釣り用針であって、
前記釣り道糸または前記釣りスナップに結ばれる釣りハリスと、
前記釣りハリスに結ばれる釣針と、
前記釣針の針頭に取着されるゴムホースとを含み、
前記ゴムホースは、前記釣りハリスが長手方向に通過する中空を持ち、前記釣針の針頭から前記釣りハリスの長手方向の一地点まで延設され、
前記ゴムホースは、
全長中の少なくとも半分以上をなし且つ無発光または無蛍光のゴム材からなる無発光部；及び
前記無発光部から伸びて全長中の残部をなし且つ発光顔料または蛍光顔料が添加されたゴム材からなる発光部；
を含むことを特徴とする、太刀魚釣り用針。
【請求項２】
前記無発光部は中空内部の釣りハリスが透視される透明色相であることを特徴とする、請求項１に記載の太刀魚釣り用針。
【請求項３】
前記発光部の長さは３ｃｍ以下であることを特徴とする、請求項１に記載の太刀魚釣り用針。
【請求項４】
前記無発光部と前記発光部は互いに高周波接合されて一体型のゴムホースをなすことを特徴とする、請求項１に記載の太刀魚釣り用針。
【請求項５】
前記無発光部または前記発光部のいずれか一方の一端部には結合突起が突設され、
前記無発光部または前記発光部の他方の一端部には前記結合突起と対応する形状の結合孔が形成され、
前記無発光部と前記発光部が互いに嵌合されることを特徴とする、請求項１に記載の太刀魚釣り用針。
【請求項６】
前記結合突起と前記結合孔にはネジ部が形成されることで、前記無発光部と前記発光部が互いに螺合されることを特徴とする、請求項５に記載の太刀魚釣り用針。
【請求項７】
前記無発光部と前記発光部は互いに密着し、
前記無発光部または前記発光部のいずれか一方の中空には楔状の結合部材が差し込まれることで、前記無発光部と前記発光部を密着して固定させることを特徴とする、請求項１に記載の太刀魚釣り用針。
【請求項８】
前記無発光部または前記発光部のいずれか一方の中空の直径は他方の中空の直径より小さく形成され、
前記無発光部または前記発光部のいずれか一方は相対的に中空の直径が大きく形成された他方の中空の内部に嵌合されることを特徴とする、請求項１に記載の太刀魚釣り用針。
【発明の詳細な説明】
【技術分野】
【０００１】
本発明は太刀魚釣り用針に係り、より詳しくは太刀魚の集魚効果を極大化し、ハリスの縺れ、損傷を防止する太刀魚釣り用針に関する。
【背景技術】
【０００２】
一般に、海で多様な魚種を取るときは、取ろうとする魚類の特性を用いてその魚種の誘引に適した餌や集魚道具を使う。
【０００３】
特に、太刀魚は夜行性の魚で、発光体に高い活性度を見せる魚種であり、針のハリスにケミカルライトや発光体を取り付けて太刀魚釣りをする場合が大部分である。
一方、太刀魚釣りをするにあたり、太刀魚が針にかかると、激しい身もだえによってハリスの縺れがひどく、鋭い歯によってハリスが切れる場合が多い。
【０００４】
このような問題を解決するために、従来は、図１に示すように、針１０を結んだハリス３０に蓄光材のゴムホース２０を結合した太刀魚釣り用針が提案されたことがある。
【０００５】
前記のような従来の太刀魚釣り用針は蓄光材のゴムホース（以下、蓄光ホース）で太刀魚を効果的に誘引することができ、針からハリスの一定地点まで蓄光ホースが取り囲んでいるので、ハリスの縺れを防止し、かつ太刀魚の鋭い歯によってハリスが損傷されるとか切れることを防止する。
【０００６】
このような従来の太刀魚釣り用針は、太刀魚の鋭い歯からハリスを保護するために、蓄光ホースが針からハリスの長手方向におよそ５ｃｍだけ結合される。このような長さは、通常太刀魚が針を飲み込んだとき、くちばしの歯が及ぶハリスの範囲で、多くの現場経験及び実験から得られた結果である。
【０００７】
しかし、蓄光ホースは夜行性魚種の集魚を誘導するためのもので、ハリスに結合される長さが長くなるほど夜行性魚種が集まる確率が高い。すなわち、太刀魚ではない他の夜行性の魚種も一緒に集まる確率が高いことを意味する。
【０００８】
したがって、対象魚として太刀魚を目的として夜間に船上釣りをするにあたり、太刀魚ではない他の夜行性魚種の稚魚が寄り集まって太刀魚釣りを邪魔する場合がたびたび発生する。
【０００９】
すなわち、太刀魚釣り用針には比較的大きなサイズの針を使い、針に付けられた餌が小さい魚種によって易しく取り外されるので、仕掛けを回収して再び餌を付ける時間を無駄に消費することになり、対象魚である太刀魚の当たりを得る確率をめっきり低下させて釣果に悪影響を与えることになる問題点がある。
【００１０】
他の方案として、蓄光ホースの長さを短くして雑魚ではない他の夜行性魚種の集魚を最小化することもできるが、一定長さ以下の短い蓄光ホースは、太刀魚が針を飲み込んだときにハリスが損傷されて切断されるので、蓄光ホースの長さを短くすることも代案となることができない実情である。
【先行技術文献】
【特許文献】
【００１１】
【特許文献１】大韓民国特許公開第１０-２０１１-００８０７５２Ａ号明細書
【特許文献２】大韓民国実用新案登録公開第２０-２０００-０００２６９０Ｕ号明細書
【特許文献３】大韓民国実用新案登録第２０-０３３８８４６Ｙ１号明細書
【特許文献４】大韓民国実用新案登録第２０-０４３７４８６Ｙ１号明細書
【発明の概要】
【発明が解決しようとする課題】
【００１２】
先の背景技術から導出された問題点を解決するための本発明の目的は、対象魚である太刀魚を除いた他の夜行性魚種の集魚を最小化するとともに、太刀魚が針を飲み込んだとき、鋭い歯からハリスを保護するようにする太刀魚釣り用針を提供することである。
【課題を解決するための手段】
【００１３】
前記のような目的は、本発明の実施例によって、太刀魚釣りのための釣り道糸または前記釣り道糸に連結された釣りスナップに連結される太刀魚釣り用針であって、前記釣り道糸または前記釣りスナップに結ばれる釣りハリスと、前記釣りハリスに結ばれる釣針と、前記釣りハリスが長手方向に通過する中空を持ち、前記釣針の針頭から前記釣りハリスの長手方向の一地点まで延設されるゴムホースとを含み、前記ゴムホースは、全長中の少なくとも半分以上をなし、無発光または無蛍光のゴム材からなる無発光部；及び前記無発光部から伸びて全長中の残部をなし、発光顔料または蛍光顔料が添加されたゴム材からなる発光部；を含むことを特徴とする、太刀魚釣り用針によって達成される。
前記無発光部は中空内部の釣りハリスが透視される透明色相であってもよい。
前記発光部の長さは３ｃｍ以下であってもよい。
前記無発光部と前記発光部は互いに高周波接合されて一体型のゴムホースをなすことができる。
【００１４】
前記無発光部または前記発光部のいずれか一方の一端部には結合突起が突設され、前記無発光部または前記発光部の他方の一端部には前記結合突起と対応する形状の結合孔が形成され、前記無発光部と前記発光部が互いに嵌合されることができる。
前記結合突起と前記結合孔にはネジ部が形成されることで、前記無発光部と前記発光部が互いに螺合されることができる。
【００１５】
前記無発光部と前記発光部は互いに密着し、前記無発光部または前記発光部のいずれか一方の中空には楔状の結合部材が差し込まれることで、前記無発光部と前記発光部を密着して固定させることができる。
【００１６】
前記無発光部または前記発光部のいずれか一方の中空の直径は他方の中空の直径より小さく形成され、前記無発光部または前記発光部のいずれか一方は相対的に中空の直径が大きく形成された他方の中空の内部に嵌合されることができる。
【発明の効果】
【００１７】
前記のような実施例による本発明の太刀魚釣り用針によれば、蓄光ホースの長さを既存の５ｃｍ程度から３ｃｍ以下に縮小して、太刀魚を除いた他の夜行性魚種の集魚を最小化することができ、蓄光ホースに連結される透明ホースを２ｃｍ以上さらに伸ばして、太刀魚が針を飲み込んでも鋭い歯からハリスを保護することができるようになる。これにより、対象魚の太刀魚ではない雑魚の邪魔によって餌を再び付けるなどの準備時間が無駄に消費されることを最小化し、対象魚である太刀魚の当たり確率を高めて釣果を向上させることができる効果がある。
【図面の簡単な説明】
【００１８】
【図１】従来の太刀魚釣り用針を示す例示図である。
【図２】本発明の実施例による太刀魚釣り用針を示す例示図である。
【図３−６】本発明の他の実施例による太刀魚釣り用針を示す例示図である。
【発明を実施するための形態】
【００１９】
以下、添付図面に基づいて本発明の好適な実施例について詳細に説明する。一方、当該技術分野の通常の知識を持った者から容易に分かる構成とそれによる作用及び効果についての図示及び詳細な説明は簡略にするとか省略し、本発明に関連した部分を中心に詳細に説明する。
【００２０】
本発明の太刀魚釣り用針は、太刀魚釣りのための釣り道糸（図示せず）または前記釣り道糸に連結された釣りスナップ（図示せず）に連結される。これは当業者には周知の事項であるので省略した。
【００２１】
本発明の実施例による太刀魚釣り用針は、図２に示すように、前記釣り道糸または前記釣りスナップに結ばれる釣りハリス２００、前記釣りハリス２００に結ばれる釣針１００、及び前記釣りハリス２００が長手方向に通過する中空を持ち、前記釣針１００の針頭から前記釣りハリス２００の長手方向の一地点まで延設されるゴムホース３００を含む。
【００２２】
ここで、好適な実施例による本発明のゴムホース３００は、無発光部３２０と発光部３４０を含む。例示の図面には発光部３４０が針頭に近くに配置されているが、無発光部３２０が針頭に位置しても関係ない。
【００２３】
前記無発光部３２０は全長中の少なくとも半分以上をなし、無発光または無蛍光のゴム材からなる。このようなゴム材の無発光部３２０は後述する発光部３４０から２ｃｍ以上さらに延設されることで、太刀魚の鋭い歯によって釣りハリス２００が切れることを防止し、後述する発光部３４０の発光範囲を低減させる役目をする。
【００２４】
このような無発光部３２０は中空内部を通過する釣りハリス２００が透視されるように透明色相のものが好ましい。これは対象魚種である太刀魚の当たり確率を高めるためである。通常、魚はその活性度によって当たりの頻度に確実な差がある。特に、活性度が良くないときには疑心が高くなり、餌が付けられた釣針１００の周りに重りやスナップなどのような自然ではない物体があれば当たりがない場合が多い。よって、魚には自然に光る発光部３４０とは違って無発光部３２０が訝しい物体として見られるため、釣りハリス２００のような透明色相であることが、無発光部３２０が魚の目につくことを最小化して当たりの確率を高めるのに好ましい。
【００２５】
前記発光部３４０は前記無発光部３２０から伸びて全長の中で残部をなし、発光顔料または蛍光顔料が添加されたゴム材からなる。このような発光部３４０は夜間の海中で発光して夜行性の太刀魚が針１００の周りに集まるようにする。
【００２６】
このような発光部３４０は長さが３ｃｍ以下であることが好ましい。これは対象魚である太刀魚の集魚を持続的に維持するとともに太刀魚ではない他の夜行性魚種の集魚確率は最小化するためである。
【００２７】
図２に示した本発明のゴムホース３００は無発光部３２０ａと発光部３４０ａが結合された状態を図示しており、前記無発光部３２０ａと前記発光部３４０ａの結合方式は多様に実施することができる。
【００２８】
まず、前記無発光部３２０ａと前記発光部３４０ａは互いに高周波接合されることができる。このような高周波接合は自動化が簡単であるので生産性を向上させることができ、局所加熱で接合部位だけ発熱するので不必要な部位が加熱されなくて無発光部３２０ａと発光部３４０ａが一体型にきれいに製造できる。
【００２９】
次に、図３に示すように、前記無発光部３２０ｂまたは前記発光部３４０ｂのいずれか一方（本発明の実施例では無発光部）の一端部には結合突起３２２ｂが突設され、前記無発光部３２０ｂまたは前記発光部３４０ｂの他方の一端部には前記結合突起３２２ｂと対応する形状の結合孔３４２ｂが形成され、前記無発光部３２０ｂと前記発光部３４０ｂが結合されることができる。このような結合方式は針仕掛けの構成の際に手作業を容易にし、使用者が選択的に無発光部３２０ｂと発光部３４０ｂを分離することができるようにして、針仕掛けを多様に構成するようにする。
【００３０】
次に、図４に示すように、結合突起３２２ｃと結合孔３４２ｃにネジ部が形成されることにより、前記無発光部３２０ｃと前記発光部３４０ｃが互いに螺合されることができる。このような結合方式は針仕掛けの構成の際に手作業を容易にするのはもちろんのこと、螺合方式で結合力を高めて耐久性が向上するようにする。
【００３１】
次に、図５に示すように、前記無発光部３２０ｄと前記発光部３４０ｄは互いに密着し、前記無発光部３２０ｄまたは前記発光部３４０ｄのいずれか一方の中空には楔状の結合部材４００が差し込まれ、前記無発光部３２０ｄと前記発光部３４０ｄが密着して固定されることができる。このような結合方式は針仕掛けの構成の際に手作業を容易にし、使用者が選択的に無発光部と発光部を分離することができるようにして針仕掛けを多様に構成することができるようにする。
【００３２】
次に、図６に示すように、前記無発光部３２０ｅまたは前記発光部３４０ｅのいずれか一方の中空の直径は他方の中空の直径より小さく形成され、前記無発光部３２０ｅまたは前記発光部３４０ｅのいずれか一方は相対的に中空の直径が大きく形成された他方の中空の内部に結合されることができる。このような結合方式は針仕掛けの構成の際に手作業を容易にし、使用者が選択的に無発光部と発光部を分離することができるようにして針仕掛けを多様に構成することができるようにする。
【００３３】
これまで説明した本発明の太刀魚釣り用針によれば、蓄光ホースの長さを既存の５ｃｍ程度から３ｃｍ以下に縮小することで、太刀魚を除いた他の夜行性魚種の集魚を最小化することができ、蓄光ホースに連結される透明ホースを２ｃｍ以上さらに伸ばすことで、太刀魚が針を飲み込んでも鋭い歯からハリスを保護することができるようになる。これにより、対象魚である太刀魚ではない雑魚の邪魔によって餌を再び付けるなどの準備時間が無駄に消耗されることを最小化し、対象魚である太刀魚の当たりの確率が高くなるので、釣果を向上させることができる効果がある。
【００３４】
前述した内容は後述する発明の請求範囲をより容易に理解することができるように本発明の特徴及び技術的利点をより幅広く詳述した。前述した実施例は当該技術分野で通常の知識を持った者によって本発明の技術的思想の範囲内で多様な修正及び変更が可能であろう。このような多様な修正及び変更も本発明の技術的思想の範囲内であれば後述する本発明の請求範囲に属するものであろう。
【産業上の利用可能性】
【００３５】
本発明は、太刀魚の集魚効果を極大化し、ハリスの縺れ、損傷を防止する太刀魚釣り用針に適用可能である。
【符号の説明】
【００３６】
１００    釣針
２００    釣りハリス
３００    ゴムホース
３２０    無発光部
３２２    結合突起
３４０    発光部
３４２    結合孔
４００    結合部材
【図１】
2015092840.tif 000003
【図２】
2015092840.tif 000004
【図３】
2015092840.tif 000005
【図４】
2015092840.tif 000006
【図５】
2015092840.tif 000007
【図６】
2015092840.tif 000008